(57)【要約】【課題】マウント形態やフランジバックの異なる交換レンズとカメラボディとを変換アダプタを用いて装着した場合に、好適に撮影を行えるカメラシステム、及び、これに用いるレンズ鏡筒、アダプタ、カメラボディ、ＲＦＩＤ、及び、カメラシステムの動作方法を提供する。【解決手段】光学機器１０，５０に取り付け可能なマウント部４３と、光学機器１０，５０の光学系Ｌが無限遠の被写体に合焦したときの合焦位置Ｐに関する信号が入力される入力部４５，４５ａと、光学系Ｌによる像を撮像する撮像素子４１とを備え、撮像素子４１は、入力部４５，４５ａに入力された信号に応じて光学系Ｌの光軸方向に移動可能であること、を特徴とするカメラボディ４０。【選択図】図１
2008118199.tif 000002
【特許請求の範囲】
【請求項１】
光学機器に取り付け可能なマウント部と、
前記光学機器の光学系が無限遠の被写体に合焦したときの合焦位置に関する信号が入力される入力部と、
前記光学系による像を撮像する撮像素子とを備え、
前記撮像素子は、前記入力部に入力された前記信号に応じて前記光学系の光軸方向に移動可能であること
を特徴とするカメラボディ。
【請求項２】
請求項１に記載のカメラボディにおいて、
前記撮像素子は、前記信号に応じて、前記合焦位置、又は、前記合焦位置よりも前記被写体側に移動すること
を特徴とするカメラボディ。
【請求項３】
請求項１又は請求項２に記載のカメラボディにおいて、
前記光学機器は、
光学系が備えられたレンズ鏡筒と、
前記レンズ鏡筒に取り付け可能な第１のマウント部と当該カメラボディに取り付け可能な第２のマウント部とを有するアダプタとを含むこと
を特徴とするカメラボディ。
【請求項４】
請求項３に記載のカメラボディにおいて、
前記撮像素子は、前記第１のマウント部と前記第２のマウント部との間隔に関する情報に応じて移動可能であること
を特徴とするカメラボディ。
【請求項５】
請求項３又は請求項４に記載のカメラボディにおいて、
前記光学系が無限遠の被写体に合焦したときの合焦位置から、前記第１のマウント部までの間隔をＡとし、前記第１のマウント部から前記第２のマウント部までの間隔をＣとし、前記第２のマウント部から移動後の前記撮像素子までの間隔をＢ２とするとき、
Ｂ２≦Ａ−Ｃ
という関係を満たすこと
を特徴とするカメラボディ。
【請求項６】
光学機器に取り付け可能な第１のマウント部と、
カメラボディに取り付け可能な第２のマウント部と、
前記第１のマウント部から前記第２のマウント部までの間隔に関する情報を出力する出力部と
を備えるアダプタ。
【請求項７】
請求項６に記載のアダプタであって、
前記光学機器に関する情報が入力される入力部を備え、
前記出力部は、前記入力部に入力された前記光学機器に関する情報を出力すること
を特徴とするアダプタ。
【請求項８】
光学機器に取り付け可能な第１のマウント部とカメラボディに取り付け可能な第２のマウント部とを含むアダプタの前記第１のマウント部から前記第２のマウント部までの間隔に関する情報を有するＲＦＩＤ。
【請求項９】
光学系と、
撮像素子を有する光学機器に取り付け可能なマウント部と、
前記光学系が無限遠の被写体に合焦したときの合焦位置に関する情報を出力する出力部と
を備えるレンズ鏡筒。
【請求項１０】
請求項９に記載のレンズ鏡筒において、
少なくとも前記光学機器との間で前記合焦位置に関する情報を有線通信又は無線通信可能な通信手段を有すること
を特徴とするレンズ鏡筒。
【請求項１１】
レンズ鏡筒に含まれる光学系が無限遠の被写体に合焦したときの合焦位置に関する情報を有するＲＦＩＤ。
【請求項１２】
光学系が備えられたレンズ鏡筒と、
前記光学系による像を撮像する撮像素子を有するカメラボディと、
前記レンズ鏡筒に取り付け可能な第１のマウント部と、前記カメラボディに取り付け可能な第２のマウント部とを有するアダプタとを備え、
前記撮像素子は、前記レンズ鏡筒及び前記アダプタの特性に応じて、前記光学系の光軸方向に移動可能であること
を特徴とするカメラシステム。
【請求項１３】
請求項１２に記載のカメラシステムにおいて、
前記撮像素子は、前記第１のマウント部と前記第２のマウント部との間隔に関する情報、及び、前記光学系に関する情報に応じて前記光学系の光軸方向に移動可能であること
を特徴とするカメラシステム。
【請求項１４】
請求項１２又は請求項１３に記載のカメラシステムにおいて、
前記撮像素子の移動距離に関する移動距離情報を記憶する移動距離情報記憶部を有すること
を特徴とするカメラシステム。
【請求項１５】
請求項１４に記載のカメラシステムにおいて、
前記移動距離情報を、少なくとも前記カメラボディと前記アダプタとの間、又は、前記カメラボディと前記レンズ鏡筒との間で通信可能とする通信手段を有すること
を特徴とするカメラシステム。
【請求項１６】
請求項１２から請求項１５までのいずれか１項に記載のカメラシステムにおいて、
前記レンズ鏡筒及び前記アダプタの特性に応じて、前記撮像素子の移動距離を演算する演算部を有すること
を特徴とするカメラシステム。
【請求項１７】
カメラシステムにレンズ鏡筒が取り付けられたとき、前記レンズ鏡筒に備えられる光学系が無限遠の被写体に合焦したときの合焦位置に基づいて、撮像素子を移動させること
を特徴とするカメラシステムの動作方法。
【発明の詳細な説明】
【技術分野】
【０００１】
本発明は、カメラボディ、アダプタ、レンズ鏡筒、カメラシステム、ＲＦＩＤ、カメラシステムの動作方法に関するものである。
【背景技術】
【０００２】
従来、レンズ交換可能なカメラシステムが様々な会社から提供されており、提供する会社の異なるカメラボディと交換レンズとを組み合わせて使用したいという要望があった。
しかし、カメラボディと交換レンズとを装着するマウント部は、各社ごとに規格が異なる等、各社各様であり、互換性を有していない場合が多い。
そのため、互換性を有していない交換レンズとカメラボディとを装着可能とする変換アダプタが供給されている。
【０００３】
しかし、このように異なる会社が提供した交換レンズとカメラボディとを組み合わせて使用する場合には、各社の設計思想等の違いから、交換レンズとカメラボディとのフランジバック、つまり、交換レンズのカメラボディを取り付ける基準面から焦点位置までの距離と、カメラボディの交換レンズを取り付ける基準面から撮像素子の撮像面までの距離とが異なることが多い。
例えば、変換アダプタを介して、Ａ社の交換レンズをＢ社のカメラボディに装着した場合に、フランジバックの差によって、Ａ社の交換レンズが無限遠の被写体に合焦したときの焦点が、Ｂ社の交換レンズを装着した場合のＢ社のカメラボディの焦点位置よりも交換レンズ側に位置する場合があった。
【０００４】
そのため、変換アダプタを介して、カメラボディに提供会社の異なる交換レンズを装着できたとしても、無限遠等の遠距離にある被写体に合焦させて撮影できない等、同じ会社が提供する交換レンズとカメラボディとを装着した場合に比べて、撮影可能な被写体までの距離が制限されるという問題があった。
また、カメラボディと交換レンズとが、同じフランジバックであって、マウント部の装着形態が異なるために変換アダプタを介して装着する場合には、変換アダプタの厚みによって、交換レンズを無限遠の被写体に合焦したときの焦点がカメラボディの結像位置よりも交換レンズ側に位置するため、遠距離の被写体に対応することができないという問題があった。
【０００５】
特許文献１には、従来の焦点調整機構が開示されている。従来の焦点調整機構として、ビデオカメラ並びに電気式スチルカメラの光電変換撮像素子を移動させ、撮像レンズの画像焦点面と光電変換撮像素子受光面とを一致させる機構が知られている。
しかし、従来の焦点調整機構は、変換アダプタを介さずとも装着可能なカメラボディと交換レンズとを装着した場合が前提であり、撮影時の焦点調整を行うものである。
【特許文献１】特開２００１−８３４０８号公報
【発明の開示】
【発明が解決しようとする課題】
【０００６】
本発明の課題は、マウント形態やフランジバックの異なる交換レンズとカメラボディとを変換アダプタを用いて装着した場合に、好適に撮影を行えるカメラシステム、及び、これに用いるレンズ鏡筒、アダプタ、カメラボディ、ＲＦＩＤ、及び、カメラシステムの動作方法を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、光学機器（１０，１１０，２１０，３１０，５０，６０，７０，８０，１５０，２５０，３５０，４５０）に取り付け可能なマウント部（４３）と、前記光学機器の光学系（Ｌ）が無限遠の被写体に合焦したときの合焦位置（Ｐ）に関する信号が入力される入力部（４５，４５ａ，２４５）と、前記光学系による像を撮像する撮像素子（４１）とを備え、前記撮像素子は、前記入力部に入力された前記信号に応じて前記光学系の光軸方向に移動可能であることを特徴とするカメラボディ（４０，１４０，２４０，３４０）である。
請求項２の発明は、請求項１に記載のカメラボディにおいて、前記撮像素子（４１）は、前記信号に応じて、前記合焦位置（Ｐ）、又は、前記合焦位置よりも前記被写体側に移動することを特徴とするカメラボディ（４０，１４０，２４０，３４０）である。
請求項３の発明は、請求項１又は請求項２に記載のカメラボディにおいて、前記光学機器は、光学系（Ｌ）が備えられたレンズ鏡筒（１０，１１０，２１０，３１０）と、前記レンズ鏡筒に取り付け可能な第１のマウント部（５１）と当該カメラボディに取り付け可能な第２のマウント部（５２）とを有するアダプタ（５０，６０，７０，８０，１５０，２５０，３５０，４５０）とを含むことを特徴とするカメラボディ（４０，１４０，２４０，３４０）である。
請求項４の発明は、請求項３に記載のカメラボディにおいて、前記撮像素子（４１）は、前記第１のマウント部（５１）と前記第２のマウント部（５２）との間隔に関する情報に応じて移動可能であることを特徴とするカメラボディ（４０，１４０，２４０，３４０）である。
請求項５の発明は、請求項３又は請求項４に記載のカメラボディにおいて、前記光学系（Ｌ）が無限遠の被写体に合焦したときの合焦位置（Ｐ）から、前記第１のマウント部（５１）までの間隔をＡとし、前記第１のマウント部から前記第２のマウント部（５２）までの間隔をＣとし、前記第２のマウント部から移動後の前記撮像素子までの間隔をＢ２とするとき、Ｂ２≦Ａ−Ｃという関係を満たすことを特徴とするカメラボディ（４０，１４０，２４０，３４０）である。
請求項６の発明は、光学機器（１０，１１０，２１０，３１０）に取り付け可能な第１のマウント部（５１）と、カメラボディ（４０，１４０，２４０，３４０）に取り付け可能な第２のマウント部（５２）と、前記第１のマウント部から前記第２のマウント部までの間隔に関する情報を出力する出力部（５３，５３ａ）とを備えるアダプタ（５０，６０，７０，８０，１５０，２５０，３５０，４５０）である。
請求項７の発明は、請求項６に記載のアダプタであって、前記光学機器（１０，２１０）に関する情報が入力される入力部（５１ｂ）を備え、前記出力部（５３ａ）は、前記入力部に入力された前記光学機器に関する情報を出力することを特徴とするアダプタ（５０，８０）である。
請求項８の発明は、光学機器（２１０，３１０）に取り付け可能な第１のマウント部（５１）とカメラボディ（２４０，３４０）に取り付け可能な第２のマウント部（５２）とを含むアダプタ（１５０，２５０，３５０，４５０）の前記第１のマウント部から前記第２のマウント部（５２）までの間隔に関する情報を有するＲＦＩＤ（１５３，２５３，３５３，４５３）である。
請求項９の発明は、光学系（Ｌ）と、撮像素子を有する光学機器に取り付け可能なマウント部（１１）と、前記光学系が無限遠の被写体に合焦したときの合焦位置（Ｐ）に関する情報を出力する出力部（１３ａ）とを備えることを特徴とするレンズ鏡筒（１０，２１０）である。
請求項１０の発明は、請求項９に記載のレンズ鏡筒において、少なくとも前記光学機器との間で前記合焦位置（Ｐ）に関する情報を有線通信又は無線通信可能な通信手段（１３，１３ａ，２１３）を有することを特徴とするレンズ鏡筒（１０，２１０）である。
請求項１１の発明は、レンズ鏡筒（２１０）に含まれる光学系（Ｌ）が無限遠の被写体に合焦したときの合焦位置（Ｐ）に関する情報を有するＲＦＩＤ（２１３）である。
請求項１２の発明は、光学系（Ｌ）が備えられたレンズ鏡筒（１０，１１０，２１０，３１０）と、前記光学系による像を撮像する撮像素子（４１）を有するカメラボディ（４０，１４０，２４０，３４０）と、前記レンズ鏡筒に取り付け可能な第１のマウント部（５１）と、前記カメラボディに取り付け可能な第２のマウント部（５２）とを有するアダプタ（５０，６０，７０，８０，１５０，２５０，３５０，４５０）とを備え、前記撮像素子は、前記レンズ鏡筒及び前記アダプタの特性に応じて、前記光学系の光軸方向に移動可能であることを特徴とするカメラシステム（１，２，３，４，５，６，７，８）である。
請求項１３の発明は、請求項１２に記載のカメラシステムにおいて、前記撮像素子（４１）は、前記第１のマウント部（５１）と前記第２のマウント部（５２）との間隔に関する情報、及び、前記光学系（Ｌ）に関する情報に応じて前記光学系の光軸方向に移動可能であることを特徴とするカメラシステム（１，２，３，４，５，６，７，８）である。
請求項１４の発明は、請求項１２又は請求項１３に記載のカメラシステムにおいて、前記撮像素子（４１）の移動距離に関する移動距離情報を記憶する移動距離情報記憶部（１３，２１３，４４，５３，６３，７３，８３，１５３，２５３，３５３，４５３）を有することを特徴とするカメラシステム（１，２，３，４，５，６，７，８）である。
請求項１５の発明は、請求項１４に記載のカメラシステムにおいて、前記移動距離情報を、少なくとも前記カメラボディ（４０，１４０，２４０，３４０）と前記アダプタ（５０，６０，７０，８０，１５０，２５０，３５０，４５０）との間、又は、前記カメラボディと前記レンズ鏡筒（１０，２１０）との間で通信可能とする通信手段（１３ａ，４５ａ，５１ｂ，５３ａ，１５３，２５３，３５３，４５３）を有することを特徴とするカメラシステム（１，２，３，４，５，６，７，８）である。
請求項１６の発明は、請求項１２から請求項１５までのいずれか１項に記載のカメラシステムにおいて、前記レンズ鏡筒（１０，１１０，２１０，３１０）及び前記アダプタ（５０，６０，７０，８０，１５０，２５０，３５０，４５０）の特性に応じて、前記撮像素子（４１）の移動距離を演算する演算部（４５，２４５）を有することを特徴とするカメラシステム（１，２，３，４，５，６，７，８）である。
請求項１７の発明は、カメラシステム（１，２，３，４，５，６，７，８）にレンズ鏡筒（１０，１１０，２１０，３１０）が取り付けられたとき、前記レンズ鏡筒に備えられる光学系（Ｌ）が無限遠の被写体に合焦したときの合焦位置（Ｐ）に基づいて、撮像素子（４１）を移動させること、を特徴とするカメラシステムの動作方法である。
なお、符号を付して説明した構成は、適宜改良してもよく、また、少なくとも一部を他の構成物に代替してもよい。
【発明の効果】
【０００８】
本発明によれば、マウント形態やフランジバックの異なる交換レンズとカメラボディとを変換アダプタを用いて装着した場合に、好適に撮影を行えるカメラシステム、及び、これに用いるレンズ鏡筒、アダプタ、カメラボディ、ＲＦＩＤ、及び、カメラシステムの動作方法を提供できる。
【発明を実施するための最良の形態】
【０００９】
以下、図面等を参照して、本発明の実施形態を挙げて、さらに詳しく説明する。
【００１０】
（第１実施形態）
図１は、第１実施形態のカメラシステム１を示す図である。
第１実施形態のカメラシステム１は、交換レンズ１０、カメラボディ４０、アダプタ５０等を有している。
本実施形態の交換レンズ１０とカメラボディ４０とは、後述するそれぞれのマウント部の規格が異なり、直接装着不可能である。
図２は、Ａ社のカメラシステム１Ａを示す図である。
Ａ社のカメラシステム１Ａは、交換レンズ１０、カメラボディ２０等を備えた、レンズ交換可能なカメラシステムである。
交換レンズ１０は、レンズＬ，レンズ側マウント部１１，レンズ移動手段１２等を備えたレンズ鏡筒である。レンズＬは、交換レンズ１０の内部に保持され、合焦させる被写体までの距離に応じて、不図示のレンズ枠やアクチュエータ等によるレンズ移動手段１２によって、光軸方向に移動可能に設けられている。
レンズ側マウント部１１は、交換レンズ１０のカメラボディ側（像側）の端部に設けられており、カメラボディ２０側の端部にマウント面１１ａが設けられている。
【００１１】
カメラボディ２０は、撮像素子２１，ボディ側マウント部２２等を有している。カメラボディ２０と交換レンズ１０とは、カメラボディ２０のボディ側マウント部２２の交換レンズ側に設けられたマウント面２２ａと、レンズ側マウント部１１のマウント面１１ａとが接する形態で直接装着可能である。
撮像素子２１は、撮影光学系（レンズＬ）によって結像された被写体像を撮影する部分であり、例えば、ＣＣＤ（Charge Coupled Device）やＣＭＯＳ（Complementary Metal Oxide Semiconductor）等である。撮像素子２１は、Ａ社の交換レンズ１０を無限遠の被写体に合焦したときの焦点の位置に、その撮像面が位置するように設けられており、そのときの交換レンズ１０のマウント面１１ａ（カメラボディ２０のマウント面２２ａ）から焦点（撮像素子２１の撮像面）までの距離は距離Ａである。
【００１２】
図３は、Ｂ社のカメラシステム１Ｂを示す図である。
Ｂ社のカメラシステム１Ｂは、交換レンズ３０，カメラボディ４０等を備えたレンズ交換可能なカメラシステムである。
交換レンズ３０は、レンズＬｂ，レンズ側マウント部３１，レンズ移動手段３２等を備えたレンズ鏡筒である。レンズＬｂは、交換レンズ３０の内部に保持され、合焦させる被写体までの距離に応じて、不図示のレンズ枠やアクチュエータ等によるレンズ移動手段３２によって、光軸方向に移動可能に設けられている。
レンズ側マウント部３１は、交換レンズ３０のカメラボディ側（像側）の端部に設けられており、カメラボディ側の端部にマウント面３１ａが設けられている。
【００１３】
カメラボディ４０は、撮像素子４１，撮像素子移動手段４２，ボディ側マウント部４３等を有している。カメラボディ４０と交換レンズ３０とは、ボディ側マウント部４３の交換レンズ側（被写体側）に設けられたマウント面４３ａと、レンズ側マウント部３１のマウント面３１ａとが接する形態で直接装着可能である。
撮像素子４１は、上述の撮像素子２１と同様に、撮影光学系（Ｌｂ）によって結像された被写体像を撮影する部分であり、例えば、ＣＣＤやＣＭＯＳ等である。この撮像素子４１は、光軸方向に沿って移動可能である。
撮像素子移動手段４２は、不図示のガイドやアクチュエータ等を用いて、撮像素子４１を光軸方向に沿って移動可能とする機構である。
撮像素子４１は、Ｂ社の交換レンズ３０を無限遠の被写体に合焦したときの焦点の光軸方向における位置を基準位置Ｓとしたときに、カメラボディ４０に交換レンズ３０を装着しているときには、その基準位置Ｓに撮像素子４１の撮像面が位置するように、撮像素子移動手段４２によってその光軸方向における位置が決められている。このとき、カメラボディ４０のマウント面４３ａ（交換レンズ３０のマウント面３１ａ）からその焦点の位置である基準位置Ｓ（撮像素子４１の撮像面）までの距離は、距離Ｂである。なお、本実施形態では、この距離Ｂは、上述の距離Ａよりも大きいものとする。
【００１４】
ここで、このＡ社の交換レンズ１０とＢ社のカメラボディ４０とを装着して撮影しようとした場合、Ａ社の交換レンズ１０のレンズ側マウント部１１とＢ社のカメラボディ４０のボディ側マウント部４３とは、被写体側からの光を通す不図示の開口部の口径や装着するための結合手段等、その形態が異なり、互換性を有していない。そのため、Ａ社の交換レンズ１０をＢ社のカメラボディ４０に直接装着することができない。
そこで、本実施形態では、交換レンズ１０とカメラボディ４０とを、変換アダプタ５０を介して装着することによって、交換レンズ１０をカメラボディ４０に装着して撮影可能とした。
【００１５】
図１に戻って、変換アダプタ５０は、略円環形状をしており、レンズ側取り付け部５１、ボディ側取り付け部５２等を有している。
レンズ側取り付け部５１は、変換アダプタ５０の一方の端部に設けられ、Ａ社のマウント部の規格に対応しており、Ａ社のカメラボディ２０のボディ側マウント部２２と略同様の形状となっている。このレンズ側取り付け部５１は、交換レンズ側の端部にレンズ側取り付け面５１ａを有しており、交換レンズ１０のマウント面１１ａとレンズ側取り付け面５１ａとが接する形態で交換レンズ１０が装着可能である。
レンズ側取り付け部５１には、通信接点５１ｂが設けられ、交換レンズ１０を装着した場合に、この通信接点５１ｂは、レンズ側マウント部１１に設けられた通信接点１３ａと接している。
ボディ側取り付け部５２は、レンズ側取り付け部５１に対向する端部に設けられ、Ｂ社のマウント部の規格に対応しており、Ｂ社の交換レンズ３０のレンズ側マウント部３１と略同様の形状となっている。このボディ側取り付け部５２は、カメラボディ側の端部にボディ側取り付け面５２ａを有し、カメラボディ４０のマウント面４３ａとボディ側取り付け面５２ａとが接する形態でカメラボディ４０が装着可能である。
ボディ側取り付け部５２には、通信接点５３ａが設けられ、カメラボディ４０を装着した場合に、この通信接点は、ボディ側マウント部４３に設けられた通信接点４５ａと接している。
【００１６】
このように、変換アダプタ５０を介して、交換レンズ１０とカメラボディ４０とを装着した場合、Ａ社の交換レンズ１０を無限遠の被写体に合焦したときの焦点（以下、この焦点をレンズ側焦点Ｐとする）と、Ｂ社のカメラボディ４０の上述した基準位置Ｓとは、光軸方向においてずれが生じてしまう。そのため、このままでは、無限遠の被写体に合焦させて撮影することができない。
これは、変換アダプタ５０を介して交換レンズ１０とカメラボディ４０とを装着するため、光軸方向において、変換アダプタ５０の厚み（レンズ側取り付け面５１ａからボディ側取り付け面５２ａまでの光軸方向における距離であり、以下距離Ｃとする）の分だけ、レンズ側焦点Ｐの位置が、基準位置Ｓよりも交換レンズ側にずれることや、Ａ社とＢ社のマウント部の規格の違いから距離Ａと距離Ｂとが異なること等に起因している。
このときの、光軸方向におけるレンズ側焦点Ｐと基準位置Ｓとの距離（ずれ）は、距離（Ｂ＋Ｃ−Ａ）であり、特に、本実施形態のように、距離Ａが距離Ｂよりも小さい場合には、その値が大きくなる。
そこで、本実施形態では、撮像素子４１を光軸方向に沿って距離（Ｂ＋Ｃ−Ａ）移動させ、レンズ側焦点Ｐの位置に、撮像素子４１の撮像面を位置させることにより、無限遠の被写体に合焦させて撮影可能とした。このとき、移動後の撮像素子４１の撮像面から、カメラボディ４０のマウント面４３ａまでの光軸方向における距離をＢ２とすると、距離Ｂ２＝Ａ−Ｃである。
【００１７】
交換レンズ１０は、先に述べた構成の他に、レンズ側情報記憶部１３を有している。
レンズ側情報記憶部１３は、交換レンズ１０のマウント面１１ａからレンズ側焦点Ｐまでの光軸方向での距離Ａを記憶している。また、レンズ側情報記憶部１３は、交換レンズ１０，変換アダプタ５０，カメラボディ４０に設けられた通信接点１３ａ，５１ｂ，５３ａ，４５ａを介して、後述のカメラボディ４０の演算部４５と通信可能であり、距離Ａを演算部４５に出力可能である。
【００１８】
カメラボディ４０は、先に述べた構成の他に、ボディ側情報記憶部４４，演算部４５を有している。
ボディ側情報記憶部４４は、カメラボディ４０のマウント面４３ａから基準位置Ｓまでの光軸方向における距離Ｂを記憶している。また、ボディ側情報記憶部４４は、演算部４５と通信可能であり、距離Ｂを演算部４５に出力可能である。
演算部４５は、レンズ側情報記憶部１３，ボディ側情報記憶部４４，後述のアダプタ側情報記憶部５３との間で通信可能であり、これらの出力に基づいて、撮像素子４１の光軸方向に沿った移動距離の演算を行い、撮像素子移動手段４２へ出力する部分である。
【００１９】
変換アダプタ５０は、交換レンズ１０とカメラボディ４０とを装着可能とする器具であり、先に述べた構成の他に、アダプタ側情報記憶部５３等を有している。
アダプタ側情報記憶部５３は、上述の距離Ｃ（レンズ側取り付け面５１ａからボディ側取り付け面５２ａまでの光軸方向における距離）を記憶している。
また、アダプタ側情報記憶部５３は、ボディ側取り付け部５２に設けられた通信接点５３ａを用いて、演算部４５と通信可能であり、距離Ｃを演算部４５に出力可能である。
【００２０】
次に、本実施形態のカメラシステム１における動作について説明する。
まず、交換レンズ１０とカメラボディ４０とを変換アダプタ５０を介して装着する。すると、レンズ側情報記憶部１３と演算部４５、アダプタ側情報記憶部５３と演算部４５とが、通信接点１３ａ，５１ｂ，５３ａ，４５ａを介して通信可能となり、レンズ側情報記憶部１３，アダプタ側情報記憶部５３，ボディ側情報記憶部４４からの出力が、演算部４５に入力される。
演算部４５は、それぞれの出力から得られた距離Ａ，距離Ｂ，距離Ｃに基づいて、撮像素子４１の移動距離（Ｂ＋Ｃ−Ａ）を演算して、撮像素子移動手段４２へ出力する。
撮像素子移動手段４２は、演算部４５からの出力に応じて、基準位置Ｓから、撮像素子４１を光軸方向に沿って交換レンズ側（被写体側）へ距離（Ｂ＋Ｃ−Ａ）移動させる。本実施形態では、撮像素子４１は、基準位置Ｓから、図１中に破線で示す撮像素子４１−２の位置へと移動する。このとき、カメラボディ４０のマウント面４３ａから撮像素子の撮像面（レンズ側焦点Ｐ）までの距離Ｂ２＝Ａ−Ｃである。
【００２１】
これによって、撮像素子４１の撮像面は、光軸方向においてレンズ側焦点Ｐと一致し、無限遠の被写体に対しても撮像素子４１の撮像面に像を結ぶことが可能となる。従って、Ａ社の交換レンズ１０をＢ社のカメラボディ４０に変換アダプタ５０を介して装着した場合にも、被写体までの距離の制限を受けることなく撮影することができる。
【００２２】
なお、本実施形態では、Ａ社の交換レンズ１０とＢ社のカメラボディ４０とを組み合わせる例を示したが、これに限らず、例えば、Ａ社及びＢ社とはマウント部の規格が異なるＤ社の交換レンズとＢ社のカメラボディ４０とを組み合わせてもよい。
この場合、Ｄ社の交換レンズは、Ｄ社の交換レンズにおける距離Ａに相当する距離Ｄ（Ｄ社の交換レンズのマウント面から、Ｄ社の交換レンズを無限遠の被写体に合焦した場合の焦点までの距離）を記憶しているレンズ側情報記憶部を備え、変換アダプタは、Ｄ社とＢ社とのマウント部の形態に対応しているレンズ側取り付け部，ボディ側取り付け部を有するものであればよい。
このように、交換レンズ，変換アダプタ，カメラボディの組み合わせは、適宜選択可能である。
【００２３】
また、本実施形態では、撮像素子４１は、光軸方向に沿って被写体側（交換レンズ側）へ距離（Ｂ＋Ｃ−Ａ）移動して撮像素子４１の撮像面がレンズ側焦点Ｐに位置し、距離Ｂ２＝Ａ−Ｃとなる例を示したが、これに限らず、移動後の撮像素子４１の撮像面がレンズ側焦点Ｐよりも被写体側であり、距離Ｂ２＜Ａ−Ｃとなる位置に撮像素子４１を移動させてもよい。この場合には、交換レンズ１０の焦点調節機構によって、無限遠の被写体に合焦して撮影することができる。よって、無限遠の被写体に合焦させるためには、光軸方向に沿って、距離Ｂ２≦Ａ−Ｃとなるように、撮像素子４１を移動させればよい。
【００２４】
（第１実施形態の変形形態）
図４は、第１実施形態の変形形態のカメラシステム１０１を示す図である。
なお、以下に示す各図面、各実施形態及びその変形形態の説明において、理解を容易にするために、通信接点等は省略することとする。
第１実施形態の変形形態のカメラシステム１０１は、変換アダプタ５０−１が、アダプタ側演算部５４を有している点が、第１実施形態のカメラシステム１とは異なる。よって、前述した第１実施形態と同様の機能を果たす部分には、同一の符号を付して、重複する説明を適宜省略する。
なお、以下に示す第２実施形態から第４実施形態においても、特に明記する場合を除いて、第１実施形態と同様の機能を果たす部分には、同一の符号を付して、重複する説明を適宜省略する。また、各実施形態の各変形形態に関しては、各実施形態との相違点のみを記載し、同様の機能を果たす部分の説明は適宜省略する。
【００２５】
変換アダプタ５０−１は、第１実施形態に示した変換アダプタ５０と略同様の形態であるが、アダプタ側演算部５４を有している。このアダプタ側演算部５４は、交換レンズ１０のレンズ側情報記憶部１３及びアダプタ側情報記憶部５３から出力された情報を演算し、距離（Ｃ−Ａ）を演算部４５に出力する。
演算部４５は、アダプタ側演算部５４からの出力と、ボディ側情報記憶部４４から出力とに基づいて、距離（Ｃ−Ａ）に距離Ｂを加算する演算をし、撮像素子４１の移動距離（Ｂ＋Ｃ−Ａ）を算出して撮像素子移動手段４２に出力する。
このような形態とすることにより、交換レンズ１０及び変換アダプタ５０から演算部４５へ出力を行う通信手段のラインは１本とすることができ、カメラシステム１０１の構造を簡単にできる。また、演算部４５での演算を容易にできる。
【００２６】
（第２実施形態）
図５は、第２実施形態のカメラシステム２を示す図である。
第２実施形態のカメラシステム２は、交換レンズ１１０，変換アダプタ６０，カメラボディ４０等を備えている。
第２実施形態のカメラシステム２は、交換レンズ１１０がレンズ側情報記憶部を有していない点と、変換アダプタ６０に設けられたアダプタ側情報記憶部６３に記憶された情報とが、第１実施形態とは異なる。
交換レンズ１１０は、第１実施形態に示した交換レンズ１０と略同様の形態であるが、レンズ側情報記憶部を有していない。
変換アダプタ６０は、第１実施形態に示した変換アダプタ５０と略同様の形態であり、演算部４５と通信可能なアダプタ側情報記憶部６３を有しているが、このアダプタ側情報記憶部６３は、距離Ａ，距離Ｃとを記憶している。
なお、図５では、アダプタ側情報記憶部６３から演算部４５へ出力ラインが２本設けられているように図示されているが、これは、アダプタ側情報記憶部６３から距離Ａ，距離Ｃが演算部４５へと出力されることを模式的に示しており、実際の出力ラインとは異なる。また、以下に示す各図面においても、同一の情報記憶部から演算部へ複数の直線が設けられているものは、この図５と同様に、それぞれの情報が出力されることを示し、実際の出力ラインとは異なるものとする。
【００２７】
第２実施形態のカメラシステム２では、演算部４５へ、アダプタ側情報記憶部６３から距離Ａ，距離Ｃが出力され、ボディ側情報記憶部４４から距離Ｂが出力される。演算部４５は、これらの出力に基づいて、撮像素子４１の移動距離（Ｂ＋Ｃ−Ａ）を演算して撮像素子移動手段４２へ出力する。
本実施形態によれば、交換レンズが距離Ａを記憶するレンズ側情報記憶部を有していない場合にも、撮像素子４１を適切な位置へと移動させることができる。従って、例えば、距離Ａを記憶するレンズ側情報記憶部を備えていないＡ社の交換レンズ１１０が販売された場合に、レンズ側情報記憶部を備えていない交換レンズ１１０を保有する使用者も、変換アダプタ６０を介して交換レンズ１１０とカメラボディ４０とを装着すれば、撮像素子４１を適切な位置へと移動させることができる。
【００２８】
また、交換レンズ１１０を使用するが、交換レンズ１１０をマウント部の互換性の無いカメラボディ４０に装着して使用することのない使用者にとって、レンズ側情報記憶部は不要であり、レンズ側情報記憶部が備えられた交換レンズは、その分割高となる。しかし、交換レンズ１１０のような形態とすれば、そのような使用者にとって経済的である。一方、交換レンズ１１０をマウント部の互換性の無いカメラボディ４０に装着して使用したい使用者は、交換レンズ１１０の距離Ａを記憶したアダプタ側情報記憶部６３を備えた変換アダプタ６０を購入して用いることにより、交換レンズ１１０とカメラボディ４０とを装着して、被写体までの撮影距離の制限を受けることなく撮影が可能となる。従って、双方の使用者にとって有益であり、合理的である。
【００２９】
（第２実施形態の第１変形形態）
図６は、第２実施形態の第１変形形態のカメラシステム２０１を示す図である。
第２実施形態の第１変形形態に示す変換アダプタ６０−１は、第２実施形態に示した変換アダプタ６０と略同様の形状であるが、アダプタ側演算部６４を有する点で異なる。
アダプタ側演算部６４は、アダプタ側情報記憶部６３から出力された距離Ａと距離Ｃとに基づいて演算し、カメラボディ４０の演算部４５へ距離（Ｃ―Ａ）を出力する。
演算部４５は、アダプタ側演算部６４から出力された距離（Ｃ−Ａ）と、ボディ側情報記憶部４４から出力された距離Ｂとに基づいて距離（Ｂ＋Ｃ−Ａ）を演算し、撮像素子移動手段４２へと出力する。
このような形態とすることによって、演算部４５における演算が容易となる。
【００３０】
（第２実施形態の第２変形形態）
図７は、第２実施形態の第２変形形態のカメラシステム２０２を示す図である。
第２実施形態の第２変形形態に示す変換アダプタ６０−２は、第２実施形態に示した変換アダプタ６０と略同様の形態であり、アダプタ側情報記憶部６５を有しているが、このアダプタ側情報記憶部６５は、距離（Ｃ−Ａ）を記憶している点が異なる。
第２実施形態の第２変形形態のカメラシステム２０２では、アダプタ側情報記憶部６５が距離（Ｃ−Ａ）を演算部４５へ出力する。演算部４５は、アダプタ側情報記憶部６５から出力された距離（Ｃ−Ａ）と、ボディ側情報記憶部４４から出力された距離Ｂとに基づいて、撮像素子４１の移動距離（Ｂ＋Ｃ−Ａ）を演算し、撮像素子移動手段４２へ出力する。
このような形態とすることによって、アダプタ側情報記憶部６５は、距離（Ｃ−Ａ）という情報のみを有していればよく、アダプタ側情報記憶部を簡単なものとすることができ、また、演算部４５での演算が容易になる。
【００３１】
（第３実施形態）
図８は、第３実施形態のカメラシステム３を示す図である。
第３実施形態のカメラシステム３は、交換レンズ１１０，変換アダプタ７０，カメラボディ１４０等を備えている。
第３実施形態のカメラシステム３は、第１実施形態のカメラシステム１と略同様の形態であるが、変換アダプタ７０に備えられたアダプタ側情報記憶部７３に記憶された情報が異なる。
交換レンズ１１０は、第１実施形態に示した交換レンズ１０と略同様の形態であるが、レンズ側情報記憶部を有していない。
変換アダプタ７０は、第１実施形態に示した変換アダプタ５０と略同様の形態であり、演算部４５と通信可能であるアダプタ側情報記憶部７３を有しているが、このアダプタ側情報記憶部７３は、距離Ａ，距離Ｂ，距離Ｃを記憶している。
カメラボディ１４０は、第１実施形態に示したカメラボディ４０と略同様の形態であるが、ボディ側情報記憶部を有していない。
第３実施形態のカメラシステム３では、アダプタ側情報記憶部７３が距離Ａ，距離Ｂ，距離Ｃを演算部４５に出力する。演算部４５は、これらの出力に基づいて距離（Ｂ＋Ｃ−Ａ）を演算し、撮像素子移動手段４２へ出力する。
【００３２】
本実施形態によれば、交換レンズ１１０のように、交換レンズが距離Ａを記憶するレンズ側情報記憶部を有しておらず、Ｂ社のカメラボディ１４０のように、距離Ｂを記憶するボディ側情報記憶部をカメラボディが備えていない場合にも、変換アダプタ７０を介して交換レンズ１１０とカメラボディ１４０とを装着することにより、撮像素子４１を適切な位置（レンズ側焦点Ｐ）へ移動できる。
また、Ａ社の交換レンズ１１０を使用するが、Ａ社の交換レンズ１１０とマウント部の互換性を持たないＢ社のカメラボディ４０とを組み合わせて使用しない使用者にとっては、交換レンズ１１０のレンズ側情報記憶部は不要であり、本実施形態の交換レンズ１１０のように、レンズ側情報記憶部を持たない形態とすれば、そのような使用者にとって経済的である。同様に、Ｂ社のカメラボディを使用するが、Ｂ社のカメラボディ１４０とマウント部の互換性のないＡ社の交換レンズ１１０等と組み合わせて使用しない使用者にとって、ボディ側情報記憶部は不要であり、本実施形態のようにボディ側情報記憶部を備えていないカメラボディ１４０は、経済的である。
一方、マウント部の互換性のないＡ社の交換レンズ１１０とＢ社のカメラボディ１４０とを組み合わせて使用したい使用者は、距離Ａ，距離Ｂ，距離Ｃを記憶したアダプタ側情報記憶部７３を備えた変換アダプタ７０を購入して用いることにより、撮影距離の制限を受けることなく撮影が可能となる。
従って、本実施形態によれば、上述したいずれの使用者にとっても有益であり、合理的である。
【００３３】
（第３実施形態の第１変形形態）
図９は、第３実施形態の第１変形形態のカメラシステム３０１を示す図である。
第３実施形態の第１変形形態に示す変換アダプタ７０−１は、第３実施形態に示した変換アダプタ７０と略同様の形態であるが、アダプタ側演算部７４を有している点で異なる。
第３実施形態の第１変形形態のカメラシステム３０１では、アダプタ側情報記憶部７３が距離Ａ，距離Ｂ，距離Ｃをアダプタ側演算部７４へ出力する。
アダプタ側演算部７４は、アダプタ側情報記憶部７３からの出力に基づいて、距離（Ｂ＋Ｃ−Ａ）を演算し、カメラボディ１４０の演算部４５へ出力する。演算部４５は、アダプタ側演算部７４から出力された距離（Ｂ＋Ｃ−Ａ）をそのまま受取り、撮像素子移動手段４２へ出力する。
このような形態とすることによって、演算部４５での演算が不要となる。
【００３４】
（第３実施形態の第２変形形態）
図１０は、第３実施形態の第２変形形態のカメラシステム３０２を示す図である。
第３実施形態の第２変形形態に示す変換アダプタ７０−２は、第３実施形態に示した変換アダプタ７０と略同様の形態であるが、アダプタ側情報記憶部７５が距離（Ｂ＋Ｃ−Ａ）を記憶している点が異なる。
第３実施形態の第２変形形態のカメラシステム３０２では、アダプタ側情報記憶部７５が演算部４５へ、距離（Ｂ＋Ｃ−Ａ）を出力する。演算部４５は、アダプタ側情報記憶部７５からの出力をそのまま受取り、撮像素子移動手段４２へ出力する。
このような形態とすることにより、演算部４５での演算が不要となる。
【００３５】
（第４実施形態）
図１１は、第４実施形態のカメラシステム４を示す図である。
第４実施形態のカメラシステム４は、交換レンズ１０，変換アダプタ８０，カメラボディ１４０等を備えている。
第４実施形態のカメラシステム４は、第１実施形態のカメラシステム１と略同様の形態であるが、変換アダプタ８０が有するアダプタ側情報記憶部８３に記憶された情報が異なる。
カメラボディ１４０は、第１実施形態に示したカメラボディ４０と略同様の形態であるが、ボディ側情報記憶部を備えていない。
変換アダプタ８０は、第１実施形態に示した変換アダプタ５０と略同様の形態であり、演算部４５と通信可能なアダプタ側情報記憶部８３を有しているが、このアダプタ側情報記憶部８３は、距離Ｃ，距離Ｂを記憶している。
第４実施形態のカメラシステム４では、交換レンズ１０のレンズ側情報記憶部１３から出力された距離Ａと、アダプタ側情報記憶部８３から出力された距離Ｂ，距離Ｃとに基づいて、演算部４５が距離（Ｂ＋Ｃ−Ａ）を演算し、撮像素子移動手段４２へ出力する。
【００３６】
本実施形態によれば、カメラボディ１４０のように、距離Ｂを記憶するボディ側情報記憶部をカメラボディが備えていない場合にも、撮像素子４１を適切な位置（レンズ側焦点Ｐ）へ移動できる。
また、例えば、Ｂ社のカメラボディ１４０は使用するが、カメラボディ１４０とマウント部の互換性を持たないＡ社の交換レンズ１０等とを組み合わせて使用しない使用者にとって、ボディ側情報記憶部は不要であり、ボディ側情報記憶部を備えていない本実施形態のカメラボディ１４０は、割安となり経済的である。一方、Ｂ社のカメラボディ１４０とマウント部の互換性を持たないＡ社の交換レンズ１０等と組み合わせて使用したい使用者は、変換アダプタ８０を購入して用いることにより、被写体までの距離の制限を受けることなく撮影が可能となる。
従って、本実施形態によれば、いずれの使用者にとっても有益であり、合理的である。
【００３７】
（第４実施形態の第１変形形態）
図１２は、第４実施形態の第１変形形態のカメラシステム４０１を示す図である。
第４実施形態の第１変形形態に示す変換アダプタ８０−１は、第４実施形態の変換アダプタ８０と略同様の形態であるが、アダプタ側演算部８４を備える点が異なる。このアダプタ側演算部８４は、アダプタ側情報記憶部８３から出力された距離Ｂ，距離Ｃに基づいて、距離（Ｂ＋Ｃ）を演算し、カメラボディ１４０の演算部４５へ出力する。
第４実施形態の第１変形形態のカメラシステム４０１では、アダプタ側演算部８４から出力された距離（Ｂ＋Ｃ）と、レンズ側情報記憶部１３から出力された距離Ａとに基づいて、演算部４５が距離（Ｂ＋Ｃ−Ａ）を演算し、撮像素子移動手段４２へと出力する。
このような形態とすることにより、演算部４５での演算が容易となる。
【００３８】
（第４実施形態の第２変形形態）
図１３は、第４実施形態の第２変形形態のカメラシステム４０２を示す図である。
第４実施形態の第２変形形態に示す変換アダプタ８０−２は、第４実施形態の変換アダプタ８０と略同様の形態であるが、アダプタ側演算部８５を備えている点が異なる。このアダプタ側演算部８５は、交換レンズ１０のレンズ側情報記憶部１３からの出力と、アダプタ側情報記憶部８３からの出力とに基づいて、距離（Ｂ＋Ｃ―Ａ）を演算し、カメラボディ１４０の演算部４５へ出力する。
演算部４５は、アダプタ側演算部８５が出力した距離（Ｂ＋Ｃ−Ａ）を受取り、撮像素子移動手段４２へ出力する。
このような形態とすることで、変換アダプタ８０−２から演算部４５への出力ラインが１本になり、カメラボディの構造を簡単にすることができる。また、演算部４５での演算が不要となる。
【００３９】
（第４実施形態の第３変形形態）
図１４は、第４実施形態の第３変形形態のカメラシステム４０３を示す図である。
第４実施形態の第３変形形態に示す変換アダプタ８０−３は、第４実施形態に示した変換アダプタ８０と略同様の形態であり、演算部４５と通信可能なアダプタ側情報記憶部８６を有しているが、このアダプタ側情報記憶部８６が、距離（Ｂ＋Ｃ）を記憶している点が異なる。
第４実施形態の第３変形形態のカメラシステム４０３では、レンズ側情報記憶部１３から出力された距離Ａと、アダプタ側情報記憶部８６から出力された距離（Ｂ＋Ｃ）とに基づいて、演算部４５が距離（Ｂ＋Ｃ−Ａ）を演算し、撮像素子移動手段４２へ出力する。
このような形態とすることにより、演算部４５での演算が容易となる。
【００４０】
（第５実施形態）
図１５は、第５実施形態のカメラシステム５を示す図である。
第５実施形態のカメラシステム５は、交換レンズ２１０，変換アダプタ１５０，カメラボディ２４０等を備えている。
第５実施形態のカメラシステム５は、第１実施形態のカメラシステム１と略同様の形態であるが、レンズ側情報記憶部２１３とアダプタ側情報記憶部１５３とがＩＣタグ（ＲＦＩＤ）となっている点が異なる。
交換レンズ２１０は、第１実施形態に示した交換レンズ１０と略同様の形態であるが、距離Ａを記憶するレンズ側情報記憶部２１３が、交換レンズ２１０内に備えられたＩＣタグとなっており、後述するカメラボディ２４０の演算部２４５と無線通信可能である。
変換アダプタ１５０は、第１実施形態に示した変換アダプタ５０と略同様の形態であるが、距離Ｃを記憶するアダプタ側情報記憶部１５３が、変換アダプタ１５０内に備えられたＩＣタグとなっており、後述するカメラボディ２４０の演算部２４５と無線通信可能である。
カメラボディ２４０は、第１実施形態に示したカメラボディ４０と略同様の形態であるが、演算部２４５が、レンズ側情報記憶部２１３及びアダプタ側情報記憶部１５３と無線通信可能である点が異なる。
【００４１】
第５実施形態のカメラシステム５では、レンズ側情報記憶部２１３及びアダプタ側情報記憶部１５３は、無線通信によって演算部２４５と通信し、それぞれ、距離Ａ，距離Ｃを演算部２４５へ出力する。ボディ側情報記憶部４４は、距離Ｂを有線通信によって演算部２４５へ出力する。
演算部２４５は、レンズ側情報記憶部２１３，アダプタ側情報記憶部１５３，ボディ側情報記憶部４４からの出力に基づいて、距離（Ｂ＋Ｃ−Ａ）を演算し、撮像素子移動手段４２へ出力する。
【００４２】
本実施形態によれば、交換レンズ２１０のレンズ側情報記憶部２１３と、変換アダプタ１５０のアダプタ側情報記憶部１５３とは、ＩＣタグとなっているので、交換レンズ２１０及び変換アダプタ１５０へ容易に備えることができる。
また、レンズ側情報記憶部２１３及びアダプタ側情報記憶部１５３と演算部２４５とは、無線通信可能であるので、交換レンズ２１０，変換アダプタ１５０，カメラボディ２４０の構造を簡単にできる。
なお、本実施形態では、ボディ側情報記憶部４４は演算部２４５と有線による通信が可能である形態で示したが、これに限らず、距離Ｂを記憶しているボディ側情報記憶部を含むＩＣタグを、カメラボディ２４０に備えてもよい。
また、本実施形態では、レンズ側情報記憶部２１３，アダプタ側情報記憶部１５３のいずれもＩＣタグとなっている例を示したが、これに限らず、どちらか一方がＩＣタグであってもよい。
【００４３】
（第５実施形態の第１変形形態）
図１６は、第５実施形態の第１変形形態のカメラシステム５０１を示す図である。
なお、以下に示す第５実施形態の各変形形態、及び、第６実施形態から第８実施形態において、特に明記する場合を除いて、第５実施形態と同様の機能を果たす部分に関しては、同一の符号を付して重複する説明を適宜省略する。また、以下の各実施形態の各変形形態に関しては、各実施形態との相違点のみを記載し、同様の機能を果たす部分の説明は適宜省略する。
第５実施形態の第１変形形態に示す変換アダプタ１６０は、第５実施形態に示した変換アダプタ１５０と略同様の形状であるが、光軸方向において交換レンズ２１０側からレンズ側アダプタ部１６１，連結アダプタ部１６２，ボディ側アダプタ部１６３の３つに分割されており、これらが一体となって１つの変換アダプタ１６０が形成されている。
【００４４】
レンズ側アダプタ部１６１は、変換アダプタ１６０の最も交換レンズ側に設けられ、交換レンズ２１０のレンズ側マウント部に装着可能なレンズ側取り付け部と、レンズ側アダプタ部１６１の光軸方向の厚みである距離Ｃ１を記憶している第１のアダプタ側情報記憶部１６４とを有している。
連結アダプタ部１６２は、レンズ側アダプタ部１６１とボディ側アダプタ部１６３とを連結する部分であり、連結アダプタ部１６２の光軸方向の厚みである距離Ｃ２を記憶している第２のアダプタ側情報記憶部１６５を有している。
ボディ側アダプタ部１６３は、カメラボディ２４０のボディ側マウント部に装着可能なボディ側取り付け部と、その光軸方向の厚みである距離Ｃ３を記憶している第３のアダプタ側情報記憶部１６６とを有している。
ここで、距離Ｃ１，距離Ｃ２，距離Ｃ３は、全て加算されると変換アダプタ１６０の光軸方向の厚みである距離Ｃに等しくなり、距離（Ｃ１＋Ｃ２＋Ｃ３）＝距離Ｃが成立する。
第１のアダプタ側情報記憶部１６４，第２のアダプタ側情報記憶部１６５，第３のアダプタ側情報記憶部１６６は、それぞれ、ＩＣタグとなっており、カメラボディ２４０の演算部２４５と無線通信可能である。
【００４５】
第５実施形態の第１変形形態のカメラシステム５０１では、演算部２４５は、レンズ側情報記憶部２１３から出力された距離Ａ，第１のアダプタ側情報記憶部１６４から出力された距離Ｃ１，第２のアダプタ側情報記憶部１６５から出力された距離Ｃ２，第３のアダプタ側情報記憶部１６６から出力された距離Ｃ３，ボディ側情報記憶部４４から出力された距離Ｂに基づいて、距離（Ｂ＋Ｃ−Ａ）を演算し、撮像素子移動手段４２へ出力する。
【００４６】
通常、マウント部の口径や距離Ａ，距離Ｂに関する情報は、機密性が高く、他社はそれらの情報を容易に知り得ない。そのため、例えば、交換レンズ２１０を提供するＡ社でもなく、カメラボディ２４０を提供するＢ社でもないＣ社が変換アダプタ１６０を供給することとなった場合、交換レンズ２１０と装着可能なレンズ側取り付け部を有するレンズ側アダプタ部１６１はＡ社から供給を受け、カメラボディ２４０と装着可能なボディ側マウント部を有するボディ側アダプタ部１６３はＢ社から供給を受け、連結アダプタ部１６２はＣ社が製造するということが考えられる。
本実施形態によれば、そのような場合に、レンズ側アダプタ部１６１は、距離Ｃ１を記憶する第１のアダプタ側情報記憶部１６４を備えた状態でＡ社から供給を受け、ボディ側アダプタ部１６３は、距離Ｃ３を記憶した第３のアダプタ側情報記憶部１６６を備えた状態でＢ社から供給を受け、連結アダプタ部１６２は、距離Ｃ２を記憶した第２のアダプタ側情報記憶部１６５を備えた状態でＣ社が作製し、これらを用いて、Ｃ社が変換アダプタ１６０を組み立てることとすれば、各社のマウント部等の情報の機密は保持されつつ、距離Ｃを演算部２４５へ出力可能な変換アダプタ１６０を提供できる。
【００４７】
なお、第５実施形態の第１変形形態では、レンズ側アダプタ部１６１，連結アダプタ部１６２，ボディ側アダプタ部１６３が一体となって変換アダプタ１６０が形成される例を示したが、これに限らず、例えば、レンズ側アダプタ部１６１をＡ社の交換レンズ２１０をＣ社のカメラボディに装着可能とする不図示の変換アダプタＡＣとし、連結アダプタ部１６２をＣ社の交換レンズをＤ社のカメラボディに装着可能とする不図示の変換アダプタＣＤとし、ボディ側アダプタ部１６３をＤ社の交換レンズをＢ社のカメラボディ２４０に装着可能とする不図示の変換アダプタＤＢとし、これらを組み合わせて使用することにより、交換レンズ２１０をカメラボディ２４０に装着可能とする形態としてもよい。このとき、変換アダプタＡＣ，ＣＤ，ＤＢは、それぞれの光軸方向における厚みを記憶する情報記憶部をＩＣタグとして備えているとよい。
このような形態とすることにより、使用者が、従来はＡ社の交換レンズを使用しておらず、変換アダプタＣＤ，変換アダプタＤＢのみしか所有していない場合に、Ａ社の交換レンズ２１０を購入に合わせて変換アダプタＡＣも購入することにより、Ａ社の交換レンズ２１０をＢ社のカメラボディ２４０に装着でき、加えて、３つの変換アダプタを適宜組み合わせる等すれば６通りの変換アダプタとして使用できる。
【００４８】
また、本実施形態では、レンズ側情報記憶部２１３，第１のアダプタ側情報記憶部１６４，第２のアダプタ側情報記憶部１６５，第３のアダプタ側情報記憶部１６６は、いずれもＩＣタグである形態としたが、そのいずれか１つ、又は、いくつかが通信接点を介して有線による通信を行う形態としてもよい。
【００４９】
（第５実施形態の第２変形形態）
図１７は、第５実施形態の第２変形形態のカメラシステム５０２を示す図である。
第５実施形態の第２変形形態に示す変換アダプタ１７０は、第５実施形態に示した変換アダプタ１５０と略同様の形態であるが、光軸方向において交換レンズ側から、レンズ側アダプタ部１７１，ボディ側アダプタ部１７２の２つに分割されており、これらが一体となって１つの変換アダプタ１７０が形成されている。
【００５０】
レンズ側アダプタ部１７１は、変換アダプタ１７０の交換レンズ側に設けられ、交換レンズ２１０のレンズ側マウント部に装着可能なレンズ側取り付け部と、レンズ側アダプタ部１７１の光軸方向の厚みである距離Ｃ１を記憶している第１のアダプタ側情報記憶部１７３とを有する。第１のアダプタ側情報記憶部１７３は、ＩＣタグとなっており、演算部２４５と無線通信可能である。このレンズ側アダプタ部１７１は、上述の第５実施形態の第１変形形態のレンズ側アダプタ部１６１と同様である。
ボディ側アダプタ部１７２は、カメラボディ側に設けられ、カメラボディ２４０のボディ側マウント部に装着可能なボディ側取り付け部と、ボディ側アダプタ部１７２の光軸方向の厚みである距離Ｃ４を記憶している第２のアダプタ側情報記憶部１７４とを有する。第２のアダプタ側情報記憶部１７４は、ＩＣタグとなっており、演算部２４５と無線通信可能である。
ここで、距離Ｃ１と距離Ｃ４は、距離（Ｃ１＋Ｃ４）＝距離Ｃという関係を満たしている。
【００５１】
第５実施形態の第２変形形態のカメラシステム５０２では、演算部２４５は、レンズ側情報記憶部２１３から出力された距離Ａ，第１のアダプタ側情報記憶部１７３から出力された距離Ｃ１，第２のアダプタ側情報記憶部１７４から出力された距離Ｃ４，ボディ側情報記憶部４４から出力された距離Ｂに基づいて、距離（Ｂ＋Ｃ−Ａ）を演算し、撮像素子移動手段４２へ出力する。
【００５２】
このような形態とすることによって、マウント部の規格等の機密性を保持しつつ、変換アダプタ１７０を形成する光軸方向に分割された部分の数を少なくし、変換アダプタ１７０を形成する部品点数を少なくできる。従って、交換レンズ２１０を提供するＡ社、カメラボディ２４０を提供するＢ社のいずれかが変換アダプタ１７０を提供する場合等に好適である。
なお、ボディ側アダプタ部１７２が、上述の第５実施形態の第１変形形態に示した変換アダプタ１６０のように光軸方向（厚み方向）で複数に分割された部分を組み合わせて形成されている場合にも、個々の部品ごとに光軸方向の厚さ情報を記憶した記憶部を設けなくとも、距離Ｃ４を記憶する第２のアダプタ側情報記憶部１７４のみを設けるだけでよく、生産コストを抑えることができる。
【００５３】
（第６実施形態）
図１８は、第６実施形態のカメラシステム６を示す図である。
第６実施形態のカメラシステム６は、交換レンズ２１０，変換アダプタ２５０，カメラボディ３４０等を備えている。
第６実施形態のカメラシステム６は、第５実施形態のカメラシステム５と略同様の形態であるが、アダプタ側情報記憶部２５３記憶に記憶される情報が異なる。
カメラボディ３４０は、カメラボディ２４０と略同様の形態であるが、ボディ側情報記憶部を備えていない。
変換アダプタ２５０は、距離Ｂ，距離Ｃを記憶しているアダプタ側情報記憶部２５３を有している。アダプタ側情報記憶部２５３は、実施形態５に示したアダプタ側情報記憶部１５３と同様に、ＩＣタグとなっており、演算部２４５と無線通信可能である。
第６実施形態のカメラシステム６では、レンズ側情報記憶部２１３から出力された距離Ａと、アダプタ側情報記憶部２５３から出力された距離Ｂ，距離Ｃとに基づいて、演算部２４５が距離（Ｂ＋Ｃ−Ａ）を演算し、撮像素子移動手段４２へ出力する。
【００５４】
本実施形態によれば、Ｂ社のカメラボディ３４０のように、距離Ｂを記憶するボディ側情報記憶部をカメラボディが備えていない場合にも、撮像素子４１を適切な位置（レンズ側焦点Ｐ）へ移動できる。
また、Ｂ社のカメラボディ３４０を、マウント部の互換性のないＡ社の交換レンズ２１０等と組み合わせて使用しない使用者にとって、ボディ側情報記憶部は不要である。一方、Ａ社の交換レンズ２１０とＢ社のカメラボディ３４０とを組み合わせて使用したい使用者は、距離Ｂ及び距離Ｃを記憶しているアダプタ側情報記憶部２５３を備えた変換アダプタ２５０を用いることにより、Ａ社の交換レンズ２１０をＢ社のカメラボディ３４０に装着して使用できる。従って、Ｂ社のカメラボディ３４０を、Ａ社の交換レンズ２１０と組み合わせて使用したい使用者及びＡ社の交換レンズ２１０と組み合わせて使用しない使用者の双方を満足させることができる。
さらに、アダプタ側情報記憶部２５３はＩＣタグとなっているので、変換アダプタ２５０に容易に組みこむことができ、生産コストを抑えることができる。
なお、本実施形態では、アダプタ側情報記憶部２５３は、距離Ｂ，距離Ｃを記憶している例を示したが、これに限らず、例えば距離（Ｂ＋Ｃ）を記憶していてもよい。
【００５５】
（第６実施形態の第１変形形態）
図１９は、第６実施形態の第１変形形態のカメラシステム６０１を示す図である。
第６実施形態の第１変形形態に示す変換アダプタ２６０は、上述の第５実施形態の第１変形形態に示した変換アダプタ１６０と同様に、光軸方向において交換レンズ側から、レンズ側アダプタ部２６１，連結アダプタ部２６２，ボディ側アダプタ部２６３の３つに分割されており、これらが一体となって１つの変換アダプタ２６０が形成されている。
【００５６】
レンズ側アダプタ部２６１は、第５実施形態の第１変形形態に示したレンズ側アダプタ部１６１と同様の形態であり、距離Ｃ１を記憶する第１のアダプタ側情報記憶部２６４を有している。
連結アダプタ部２６２は、第５実施形態の第１変形形態に示した連結アダプタ部１６２と同様の形態であり、距離Ｃ２を記憶する第２のアダプタ側情報記憶部２６５を有している。
ボディ側アダプタ部２６３は、第５実施形態の第１変形形態に示したボディ側アダプタ部１６３と略同様の形態であるが、第３のアダプタ側情報記憶部２６６が距離Ｃ３，距離Ｂを記憶している点が異なる。
第１のアダプタ側情報記憶部２６４，第２のアダプタ側情報記憶部２６５，第３のアダプタ側情報記憶部２６６は、第５実施形態の第１変形形態に示したように、それぞれＩＣタグとなっており、演算部２４５と無線通信可能である。
【００５７】
第６実施形態の第１変形形態のカメラシステム６０１では、レンズ側情報記憶部２１３から出力された距離Ａと、第１のアダプタ側情報記憶部２６４から出力された距離Ｃ１と、第２のアダプタ側情報記憶部２６５から出力された距離Ｃ２と、第３のアダプタ側情報記憶部２６６から出力された距離Ｃ３，距離Ｂとに基づいて、演算部２４５が距離（Ｂ＋Ｃ−Ａ）を演算し、撮像素子移動手段４２へ出力する。
このような形態とすることにより、第６実施形態に示した効果に加え、例えば、カメラボディを提供するＢ社ではないＣ社が変換アダプタ２６０を提供する場合に、ボディ側アダプタ部２６３をＢ社が提供することにより、Ｂ社のカメラボディ３４０のマウント部の規格等の機密性の保持が可能となる。
【００５８】
（第６実施形態の第２変形形態）
図２０は、第６実施形態の第２変形形態のカメラシステム６０２を示す図である。
第６実施形態の第２変形形態に示す変換アダプタ２７０は、上述の第５実施形態の第２変形形態に示した変換アダプタ１７０と同様に、光軸方向において交換レンズ側から、レンズ側アダプタ部２７１，ボディ側アダプタ部２７２の２つに分割されており、これらが一体となって１つの変換アダプタ２７０が形成されている。
【００５９】
レンズ側アダプタ部２７１は、第５実施形態の第２変形形態に示したレンズ側アダプタ部１７１と同様の形態であり、距離Ｃ１を記憶する第１のアダプタ側情報記憶部２７３を有している。
ボディ側アダプタ部２７２は、第５実施形態の第２変形形態に示したボディ側アダプタ部１７２と略同様の形態であるが、距離Ｃ４，距離Ｂを記憶する第２のアダプタ側情報記憶部２７４を備えている点が異なる。
第１のアダプタ側情報記憶部２７３，第２のアダプタ側情報記憶部２７４は、それぞれＩＣタグとなっており、演算部２４５と無線通信可能である。
第６実施形態の第２変形形態のカメラシステム６０２では、レンズ側情報記憶部２１３から出力された距離Ａと、第１のアダプタ側情報記憶部２７３から出力された距離Ｃ１，第２のアダプタ側情報記憶部２７４から出力された距離Ｃ４，距離Ｂとに基づいて、演算部２４５が距離（Ｂ＋Ｃ−Ａ）を演算し、撮像素子移動手段４２へ出力する。
このような形態とすることにより、第６実施形態に示した効果に加え、カメラボディ３４０のマウント部の規格等の機密性を保持しつつ、変換アダプタ１７０の部品点数を削減するという効果も得られる。
【００６０】
（第７実施形態）
図２１は、第７実施形態のカメラシステム７を示す図である。
第７実施形態のカメラシステムは、交換レンズ３１０，変換アダプタ３５０，カメラボディ２４０等を備えている。
第７実施形態のカメラシステム７は、第５実施形態のカメラシステム５と略同様の形態であるが、変換アダプタ３５０に設けられたアダプタ側情報記憶部３５３に記憶された情報等が異なる。
交換レンズ３１０は、第５実施形態に示した交換レンズ２１０と略同様の形態であるが、レンズ側情報記憶部を有していない。
変換アダプタ３５０は、第５実施形態に示した変換アダプタ１５０と略同様の形態であり、距離Ａ，距離Ｃを記憶するアダプタ側情報記憶部３５３を有している。アダプタ側情報記憶部３５３は、ＩＣタグとなっており、演算部２４５と無線通信可能である。
第７実施形態のカメラシステム７では、アダプタ側情報記憶部３５３から出力された距離Ａ，距離Ｃと、ボディ側情報記憶部４４から出力された距離Ｂとに基づいて、演算部２４５が距離（Ｂ＋Ｃ−Ａ）を演算し、撮像素子移動手段４２へ出力する。
【００６１】
本実施形態によれば、交換レンズ３１０のように、距離Ａを記憶しているレンズ側情報記憶部を備えていない交換レンズであっても、変換アダプタ３５０を用いることによって、カメラボディ２４０に装着して、被写体までの距離の制限を受けることなく撮影可能である。
また、距離Ａ，距離Ｃをアダプタ側情報記憶部３５３が記憶しているので、ＩＣタグは１つでよく、生産コストを抑えることができる。
【００６２】
（第７実施形態の第１変形形態）
図２２は、第７実施形態の第１変形形態のカメラシステム７０１を示す図である。
第７実施形態の第１変形形態に示す変換アダプタ３６０は、第７実施形態に示した変換アダプタ３５０と略同様の形態であり、アダプタ側情報記憶部３６３を有しているが、このアダプタ側情報記憶部３６３は、距離（Ｃ−Ａ）を記憶している。
第７実施形態の第１変形形態のカメラシステム７０１では、アダプタ側情報記憶部３６３から出力された距離（Ｃ−Ａ）と、ボディ側情報記憶部４４から出力された距離Ｂとに基づいて、演算部２４５が距離（Ｂ＋Ｃ−Ａ）を演算し、撮像素子移動手段４２へと出力する。
このような形態とすることにより、演算部２４５での演算を容易にすることができる。
【００６３】
（第７実施形態の第２変形形態）
図２３は、第７実施形態の第２変形形態のカメラシステム７０２を示す図である。
第７実施形態の第２変形形態に示す変換アダプタ３７０は、第５実施形態の第１変形形態に示した変換アダプタ１６０と同様に、光軸方向において交換レンズ側から、レンズ側アダプタ部３７１，連結アダプタ部３７２，ボディ側アダプタ部３７３の３つに分割されており、これらが一体となって１つの変換アダプタ３７０が形成されている。
レンズ側アダプタ部３７１は、第５実施形態の第１変形形態に示したレンズ側アダプタ部１６１と略同様の形態であり、第１のアダプタ側情報記憶部３７４を有しているが、第１のアダプタ側情報記憶部３７４が距離Ａ，距離Ｃ１を記憶している点が異なる。
連結アダプタ部３７２は、第５実施形態の第１変形形態に示した連結アダプタ部１６２と同様の形態であり、距離Ｃ２を記憶する第２のアダプタ側情報記憶部３７５を有している。
ボディ側アダプタ部３７３は、第５実施形態の第１変形形態に示したボディ側アダプタ部１６３と同様の形態であり、距離Ｃ３を記憶する第３のアダプタ側情報記憶部３７６を有している。
【００６４】
第７実施形態の第２変形形態のカメラシステム７０２では、第１のアダプタ側情報記憶部３７４から出力された距離Ａ，距離Ｃ１と、第２のアダプタ側情報記憶部３７５から出力された距離Ｃ２と、第３のアダプタ側情報記憶部３７６から出力された距離Ｃ３と、ボディ側情報記憶部４４から出力された距離Ｂとに基づいて、演算部２４５が距離（Ｂ＋Ｃ−Ａ）を演算し、撮像素子移動手段４２へと出力する。
このような形態とすることにより、第７実施形態に示した効果に加え、例えば、交換レンズを提供するＡ社ではないＣ社が変換アダプタを提供する場合に、レンズ側アダプタ部３７１をＡ社がＣ社へ提供することにより、交換レンズ３１０のマウント部の規格の機密性が保持できる。
【００６５】
（第７実施形態の第３変形形態）
図２４は、第７実施形態の第３変形形態のカメラシステム７０３を示す図である。
第７実施形態の第３変形形態に示す変換アダプタ３８０は、第５実施形態の第２変形形態に示した変換アダプタ１７０と同様に、光軸方向においてレンズ側アダプタ部３８１，ボディ側アダプタ部３８２の２つに分割されており、これらが一体となって１つの変換アダプタ３８０が形成されている。
レンズ側アダプタ部３８１は、第５実施形態の第２変形形態に示したレンズ側アダプタ部１７１と略同様の形態であるが、第１のアダプタ側情報記憶部３８３が距離Ａ，距離Ｃ１を記憶している点が異なる。
ボディ側アダプタ部３８２は、第５実施形態の第２変形形態に示したボディ側アダプタ部１７２と同様の形態であり、距離Ｃ４を記憶する第２のアダプタ側情報記憶部３８４を有している。
第７実施形態の第３変形形態のカメラシステム７０３では、第１のアダプタ側情報記憶部３８３から出力された距離Ａ，距離Ｃ１と、第２のアダプタ側情報記憶部３８４から出力された距離Ｃ４と、ボディ側情報記憶部４４から出力された距離Ｂとに基づいて、演算部２４５が距離（Ｂ＋Ｃ−Ａ）を演算し、撮像素子移動手段４２へと出力する。
このような形態とすることで、第７実施形態に示した効果に加えて、交換レンズ３１０のマウント部の規格等の機密性を保持しつつ変換アダプタ３８０の部品点数を削減するという効果が得られる。
【００６６】
（第８実施形態）
図２５は、第８実施形態のカメラシステム８を示す図である。
第８実施形態のカメラシステム８は、交換レンズ３１０，変換アダプタ４５０，カメラボディ３４０等を備えている。
第８実施形態のカメラシステム８は、第５実施形態のカメラシステムと略同様の形態であるが、アダプタ側情報記憶部４５３に記憶された情報が異なる。
交換レンズ３１０は、第５実施形態に示した交換レンズ２１０と略同様の形態であるが、レンズ側情報記憶部を有していない。
カメラボディ３４０は、第５実施形態に示したカメラボディ２４０と略同様の形態であるが、ボディ側情報記憶部を有していない。
変換アダプタ４５０は、第５実施形態に示した変換アダプタ１５０と略同様の形態であり、アダプタ側情報記憶部４５３を有しているが、このアダプタ側情報記憶部４５３が、距離Ａ，距離Ｂ，距離Ｃを記憶している点が異なる。
【００６７】
第８実施形態のカメラシステム８では、アダプタ側情報記憶部４５３から出力された距離Ａ，距離Ｂ，距離Ｃに基づいて、演算部２４５が距離（Ｂ＋Ｃ−Ａ）を演算し、撮像素子移動手段４２へ出力する。
本実施形態によれば、アダプタ側情報記憶部４５３が距離Ａ，距離Ｂ，距離Ｃを記憶しているので、交換レンズ３１０，カメラボディ３４０がそれぞれ距離Ａ，距離Ｂを記憶したレンズ側情報記憶部，ボディ側情報記憶部を持たない場合にも、撮像素子４１をレンズ側焦点Ｐの位置まで移動させることができる。
また、アダプタ側情報記憶部４５３が距離Ａ，距離Ｂ，距離Ｃを記憶しているので、ＩＣタグは１つあればよく、カメラシステムの構造を簡単にでき、生産コストを抑えることができる。
【００６８】
（第８実施形態の第１変形形態）
図２６は、第８実施形態の第１変形形態のカメラシステム８０１を示す図である。
第８実施形態の第１変形形態に示す変換アダプタ４６０は、第８実施形態に示した変換アダプタ４５０と略同様の形態であり、アダプタ側情報記憶部４６３を有しているが、このアダプタ側情報記憶部４６３は、距離（Ｂ＋Ｃ−Ａ）を記憶している点が異なる。
第８実施形態の第１変形形態のカメラシステム８０１では、アダプタ側情報記憶部４６３から出力された距離（Ｂ＋Ｃ−Ａ）を演算部２４５が受け取り、それを撮像素子移動手段４２へ出力する。
このような形態とすることで、演算部２４５での演算が不要になる。
【００６９】
（第８実施形態の第２変形形態）
図２７は、第８実施形態の第２変形形態のカメラシステム８０２を示す図である。
第８実施形態の第２変形形態に示す変換アダプタ４７０は、第８実施形態の変換アダプタ４５０と略同様の形態であるが、第５実施形態の第１変形形態に示した変換アダプタ１６０と同様に、光軸方向において交換レンズ側から、レンズ側アダプタ部４７１，連結アダプタ部４７２，ボディ側アダプタ部４７３の３つに分割されており、これらが一体となって１つの変換アダプタ４７０が形成されている。
レンズ側アダプタ部４７１は、第５実施形態の第１変形形態に示したレンズ側アダプタ部１６１と略同様の形態であり、第１のアダプタ側情報記憶部４７４を有しているが、第１のアダプタ側情報記憶部４７４が距離Ａを記憶している点で異なる。
連結アダプタ部４７２は、第５実施形態の第１変形形態に示した連結アダプタ部１６２と略同様の形態であり、第２のアダプタ側情報記憶部４７５を有しているが、第２のアダプタ側情報記憶部４７５が距離Ｃを記憶している点で異なる。
ボディ側アダプタ部４７３は、第５実施形態の第１変形形態に示したボディ側アダプタ部１６３と略同様の形態であり、第３のアダプタ側情報記憶部４７６を有しているが、第３のアダプタ側情報記憶部４７６が距離Ｂを記憶している点で異なる。
【００７０】
第８実施形態の第２変形形態のカメラシステム８０２では、第１のアダプタ側情報記憶部４７４から出力された距離Ａと、第２のアダプタ側情報記憶部４７５から出力された距離Ｃと、第３のアダプタ側情報記憶部４７６から出力された距離Ｂとに基づいて、演算部２４５が距離（Ｂ＋Ｃ−Ａ）を演算し、撮像素子移動手段４２へ出力する。
このような形態とすることで、実施形態８に示したように、交換レンズ及びカメラボディが、レンズ側情報記憶部，ボディ側情報記憶部を備えていない場合にも、撮像素子４１をレンズ側焦点Ｐへ移動させることができる。また、交換レンズ３１０及びカメラボディ３４０の提供会社ではないＣ社が変換アダプタ４７０を提供する場合にも、交換レンズ３１０及びカメラボディ３４０のマウント部の規格等の機密性を保持できる。
【００７１】
（第８実施形態の第３変形形態）
図２８は、第８実施形態の第３変形形態のカメラシステム８０３を示す図である。
第８実施形態の第３変形形態に示す変換アダプタ４８０は、第８実施形態の変換アダプタ４５０と略同様の形態であるが、第５実施形態の第１変形形態に示した変換アダプタ１６０と同様に、光軸方向において交換レンズ側から、レンズ側アダプタ部４８１，連結アダプタ部４８２，ボディ側アダプタ部４８３の３つに分割されており、これらが一体となって１つの変換アダプタ４８０が形成されている点が異なる。
レンズ側アダプタ部４８１は、第５実施形態の第１変形形態に示したレンズ側アダプタ部１６１と略同様の形態であり、第１のアダプタ側情報記憶部４８４を有しているが、第１のアダプタ側情報記憶部４８４が距離Ａ，距離Ｃ１を記憶している点で異なる。
連結アダプタ部４８２は、第５実施形態の第１変形形態に示した連結アダプタ部１６２と同様の形態である。
ボディ側アダプタ部４８３は、第５実施形態の第１変形形態に示したボディ側アダプタ部１６３と略同様の形態であり、第３のアダプタ側情報記憶部４８６を有しているが、第３のアダプタ側情報記憶部４８６が距離Ｂ，距離Ｃ３を記憶している点で異なる。
【００７２】
第８実施形態の第３変形形態のカメラシステム８０３では、第１のアダプタ側情報記憶部４８４から出力された距離Ａ，距離Ｃ１と、第２のアダプタ側情報記憶部４８５から出力された距離Ｃ２と、第３のアダプタ側情報記憶部４８６から出力された距離Ｂ，距離Ｃ３とに基づいて、演算部２４５が距離（Ｂ＋Ｃ−Ａ）を演算し、撮像素子移動手段４２へ出力する。
このような形態とすることにより、第８実施形態に示したように、交換レンズ及びカメラボディが、レンズ側情報記憶部，ボディ側情報記憶部を備えていない場合にも、撮像素子４１をレンズ側焦点Ｐへ移動させることができ、交換レンズ３１０及びカメラボディ３４０のマウント部の規格等の機密性保持等の効果も得られる。
【００７３】
（第８実施形態の第４変形形態）
図２９は、第８実施形態の第４変形形態のカメラシステム８０４を示す図である。
第８実施形態の第４変形形態に示す変換アダプタ４９０は、第８実施形態に示した変換アダプタ４５０と略同様の形態であるが、第５実施形態の第２変形形態に示した変換アダプタ１７０と同様に、光軸方向において交換レンズ側から、レンズ側アダプタ部４９１，ボディ側アダプタ部４９２の２つに分割されており、これらが一体となって１つの変換アダプタ４９０が形成されている。
【００７４】
レンズ側アダプタ部４９１は、第５実施形態の第２変形形態に示したレンズ側アダプタ部１７１と略同様の形態であり、第１のアダプタ側情報記憶部４９３を有しているが、この第１のアダプタ側情報記憶部４９３は、距離Ａ，距離Ｃ１を記憶している点で異なる。
ボディ側アダプタ部４９２は、第５実施形態の第２変形形態に示したボディ側アダプタ部１７２と略同様の形態であり、第２のアダプタ側情報記憶部４９４を有しているが、この第２のアダプタ側情報記憶部４９４は、距離Ｂ，距離Ｃ４を記憶している点で異なる。
【００７５】
第８実施形態の第４変形形態のカメラシステム８０４では、第１のアダプタ側情報記憶部４９３から出力された距離Ａ，距離Ｃ１と、第２のアダプタ側情報記憶部４９４から出力された距離Ｂ，距離Ｃ４とに基づいて、演算部２４５が距離（Ｂ＋Ｃ−Ａ）を演算し、撮像素子移動手段４２へ出力する。
このような形態とすることにより、第８実施形態に示したように、交換レンズ及びカメラボディが、レンズ側情報記憶部，ボディ側情報記憶部を備えていない場合にも、撮像素子４１をレンズ側焦点Ｐへ移動させることができる。また、交換レンズ３１０及びカメラボディ３４０のマウント部の規格等の機密性を保持しつつ、変換アダプタの部品点数を削減する効果も得られる。
【００７６】
（変形形態）
以上説明した実施形態に限定されることなく、種々の変形や変更が可能であって、それらも本発明の均等の範囲内である。
（１）各実施形態において、アダプタ側情報記憶部は、距離Ｃ，距離Ａ，距離Ｂ，距離（Ｃ−Ａ），距離（Ｂ＋Ｃ），距離（Ｂ＋Ｃ−Ａ）等の距離（数値）を記憶し、これらを出力する例を示したが、これに限らず、例えば、距離Ｃ，距離Ａ，距離Ｂ，距離（Ｃ−Ａ），距離（Ｂ＋Ｃ），距離（Ｂ＋Ｃ−Ａ）等に関する情報であってもよい。この距離Ｃ，距離Ａ，距離Ｂ等に関する情報とは、例えば、交換レンズ，カメラボディ等の提供会社を示す情報や交換レンズ等のマウント部の規格等を示す情報等、距離Ａ，距離Ｂ，距離Ｃ等を識別可能な情報である。この場合、ボディ側演算部やアダプタ側演算部等は、それらの情報を認識して演算可能な数値等に変換するテーブルを備えているとよい。
なお、レンズ側情報記憶部，ボディ側情報記憶部や、第１から第３のアダプタ側情報記憶部についても同様である。
【００７７】
（２）第５実施形態から第８実施形態において、レンズ側情報記憶部，アダプタ側情報記憶部は、ＩＣタグとなっており、それぞれ、交換レンズ，変換アダプタ等に備えられる例を示したが、各情報記憶部が設けられたＩＣタグは、交換レンズ，変換アダプタに適宜貼付可能かつ剥離可能なシール等の形態としてもよい。カメラボディ側情報記憶部をＩＣタグとする場合にも同様である。
このような形態とすれば、例えば、交換レンズがレンズ側情報記憶部を備えていない場合にも、容易に、レンズ側情報記憶部を備えた状態とすることができる。変換アダプタやカメラボディに対しても同様である。
【００７８】
（３）第５実施形態から第８実施形態において、レンズ側情報記憶部，アダプタ側情報記憶部，ボディ側情報記憶部は、ＩＣタグに設けられる例を示したが、これに限らず、演算部２４５と無線通信可能であり、情報を記憶可能であれば、他のＲＦＩＤ（Radio Frequency Identification）や、赤外線を利用して通信可能な情報記憶媒体等でもよい。
【００７９】
（４）各実施形態において、変換アダプタは、光学系を備えていない例を示したが、これに限らず、レンズ等の光学系を備えてもよい。なお、その場合には、変換アダプタに備えられた光学系による焦点位置の変化量に対応した情報を記憶しているアダプタ側情報記憶部等を変換アダプタが備えているとよい。
また、上述した各実施形態では、レンズ鏡筒のマウント部とカメラボディのマウント部とを適合させるための変換アダプタを示したが、これに限定されるものではなく、例えば、アダプタとして、テレコンバータ、接写リング、ベローズ等を用いてもよい。
【００８０】
（５）各実施形態において、距離Ｂは距離Ａよりも大きく、撮像素子は、光軸方向に沿って交換レンズ側へ移動可能な例を示したが、これに限らず、例えば、距離Ａが距離Ｂよりも大きい場合等、距離（Ｂ＋Ｃ−Ａ）の値が負の値となるときには、撮像素子を光軸方向に沿って距離（Ｂ＋Ｃ−Ａ）の絶対値だけ基準位置Ｓ側（カメラボディの背面側）へ移動可能な形態としてもよい。
【００８１】
（６）各実施形態において、カメラシステムとして、レンズ交換可能なデジタルスチルカメラを例に挙げて説明したが、これに限らず、例えば、レンズ交換可能なデジタルビデオカメラ等でもよい。
【００８２】
なお、第１実施形態から第８実施形態及び各変形形態は、適宜組み合わせて用いることもできるが、詳細な説明は省略する。また、本発明は、以上説明した各実施形態によって限定されるものではない。
【図面の簡単な説明】
【００８３】
【図１】第１実施形態のカメラシステム１を示す図である。
【図２】Ａ社のカメラシステム１Ａを示す図である。
【図３】Ｂ社のカメラシステム１Ｂを示す図である。
【図４】第１実施形態の変形形態のカメラシステム１０１を示す図である。
【図５】第２実施形態のカメラシステム２を示す図である。
【図６】第２実施形態の第１変形形態のカメラシステム２０１を示す図である。
【図７】第２実施形態の第２変形形態のカメラシステム２０２を示す図である。
【図８】第３実施形態のカメラシステム３を示す図である。
【図９】第３実施形態の第１変形形態のカメラシステム３０１を示す図である。
【図１０】第３実施形態の第２変形形態のカメラシステム３０２を示す図である。
【図１１】第４実施形態のカメラシステム４を示す図である。
【図１２】第４実施形態の第１変形形態のカメラシステム４０１を示す図である。
【図１３】第４実施形態の第２変形形態のカメラシステム４０２を示す図である。
【図１４】第４実施形態の第３変形形態のカメラシステム４０３を示す図である。
【図１５】第５実施形態のカメラシステム５を示す図である。
【図１６】第５実施形態の第１変形形態のカメラシステム５０１を示す図である。
【図１７】第５実施形態の第２変形形態のカメラシステム５０２を示す図である。
【図１８】第６実施形態のカメラシステム６を示す図である。
【図１９】第６実施形態の第１変形形態のカメラシステム６０１を示す図である。
【図２０】第６実施形態の第２変形形態のカメラシステム６０２を示す図である。
【図２１】第７実施形態のカメラシステム７を示す図である。
【図２２】第７実施形態の第１変形形態のカメラシステム７０１を示す図である。
【図２３】第７実施形態の第２変形形態のカメラシステム７０２を示す図である。
【図２４】第７実施形態の第３変形形態のカメラシステム７０３を示す図である。
【図２５】第８実施形態のカメラシステム８を示す図である。
【図２６】第８実施形態の第１変形形態のカメラシステム８０１を示す図である。
【図２７】第８実施形態の第２変形形態のカメラシステム８０２を示す図である。
【図２８】第８実施形態の第３変形形態のカメラシステム８０３を示す図である。
【図２９】第８実施形態の第４変形形態のカメラシステム８０４を示す図である。
【符号の説明】
【００８４】
１，２，３，４，５，６，７，８：カメラシステム、１０，１１０，２１０，３１０：交換レンズ、４０，１４０，２４０，３４０：カメラボディ、５０，６０，７０，８０，１５０，２５０，３５０，４５０：変換アダプタ、１３，１１３：レンズ側情報記憶部、５３，６３，７３，８３，１５３，２５３，３５３，４５３：アダプタ側情報記憶部、４１：撮像素子、４４：ボディ側情報記憶部、４５，２４５：演算部
【図１】
2008118199.tif 000003
【図２】
2008118199.tif 000004
【図３】
2008118199.tif 000005
【図４】
2008118199.tif 000006
【図５】
2008118199.tif 000007
【図６】
2008118199.tif 000008
【図７】
2008118199.tif 000009
【図８】
2008118199.tif 000010
【図９】
2008118199.tif 000011
【図１０】
2008118199.tif 000012
【図１１】
2008118199.tif 000013
【図１２】
2008118199.tif 000014
【図１３】
2008118199.tif 000015
【図１４】
2008118199.tif 000016
【図１５】
2008118199.tif 000017
【図１６】
2008118199.tif 000018
【図１７】
2008118199.tif 000019
【図１８】
2008118199.tif 000020
【図１９】
2008118199.tif 000021
【図２０】
2008118199.tif 000022
【図２１】
2008118199.tif 000023
【図２２】
2008118199.tif 000024
【図２３】
2008118199.tif 000025
【図２４】
2008118199.tif 000026
【図２５】
2008118199.tif 000027
【図２６】
2008118199.tif 000028
【図２７】
2008118199.tif 000029
【図２８】
2008118199.tif 000030
【図２９】
2008118199.tif 000031